(57)【特許請求の範囲】
【請求項１】
機器底板に備えられた支持脚によって支持される機器を梱包する梱包材であって、前記梱包材は、前記機器の側面下半分の全周を覆う下梱包部材と、前記機器の側面上半分の全周を覆う上梱包部材とからなり、前記下梱包部材には、前記下梱包部材の一側面の正面側寄りに上端から中程に向けて略垂直方向の切り開き用下垂直ジッパ部と、前記切り開き用下垂直ジッパ部の下端から前記下梱包材の下端正面側寄りに架けて斜め方向の切り開き用下斜めジッパ部と、前記切り開き用下垂直ジッパ部と前記切り開き用下斜めジッパ部との交点位置かつ該下梱包部材の高めの位置に開口された下切り開き開始部とが設けられ、前記上梱包部材には、前記上梱包部材の一側面の正面側寄りに下端から中程に向けて略垂直方向の切り開き用上垂直ジッパ部と、前記切り開き用上垂直ジッパ部の上端から前記上梱包材の上端正面側寄りに架けて斜め方向の切り開き用上斜めジッパ部と、前記切り開き用上垂直ジッパ部の途中位置かつ該上梱包部材の低めの位置に開口された上切り開き開始部とが設けられ、前記切り開き用上垂直ジッパ部は前記切り開き用下垂直ジッパ部よりも正面寄りに配置されていることを特徴とする梱包材。
【請求項２】
前記下梱包部材には、その下端に前記機器底板の一部を露出させる目視用切り欠き部が設けられていることを特徴とする請求項１記載の梱包材。
【請求項３】
前記機器は、湯水を貯湯する貯湯タンクを備えた貯湯式給湯装置であることを特徴とする請求項２記載の梱包材。
【発明の詳細な説明】
【技術分野】
【０００１】
本発明は、機器底板に備えられた支持脚によって支持される機器を梱包する梱包材に関するものである。
【背景技術】
【０００２】
従来よりこの種の大型の機器の梱包材は、特許文献１のように、一体に全周を覆う側面梱包部材と、天面を覆う天面梱包部材とから構成されているものがあった。
【先行技術文献】
【特許文献】
【０００３】
【特許文献１】特開２００７−２４６１１８号公報
【発明の概要】
【発明が解決しようとする課題】
【０００４】
ところがこの従来のものでは、梱包時には、大型の段ボール製の側面梱包部材を機器の上からかぶせて組み立てるため、大きな梱包スペースが必要で、取り回しも悪いものであると共に、開梱時には、設置場所にて開梱する都合上、梱包時と同じスペースが確保できるとは限らないため、狭い場所では、カッターナイフ等で側面梱包部材を切り裂く必要があり、開梱のために機器に傷を付けてしまう可能性があるため、好ましいものではなかった。
【０００５】
そのため、側面梱包部材の側面に略垂直の切り開き用ジッパ部を予め設け、作業者がカッターナイフを使用することなく側面梱包部材を切り裂くことを可能とすることが考えられるが、大型の梱包部材であるために、梱包時の側面梱包部材をハンドリングする際に切り開き用ジッパ部から側面梱包部材が折れ曲がってしまって梱包作業が困難になるという問題があった。
【０００６】
そこで、本発明は、被梱包機器を傷つけることなく容易に開梱できると共に、梱包作業時に、梱包材が折れ曲がることなく容易にハンドリングできる梱包材を提供することを目的とする。
【課題を解決するための手段】
【０００７】
上記目的を達成するため、本発明は、機器底板に備えられた支持脚によって支持される機器を梱包する梱包材であって、前記梱包材は、前記機器の側面下半分の全周を覆う下梱包部材と、前記機器の側面上半分の全周を覆う上梱包部材とからなり、前記下梱包部材には、前記下梱包部材の一側面の正面側寄りに上端から中程に向けて略垂直方向の切り開き用下垂直ジッパ部と、前記切り開き用下垂直ジッパ部の下端から前記下梱包材の下端正面側寄りに架けて斜め方向の切り開き用下斜めジッパ部と、前記切り開き用下垂直ジッパ部と前記切り開き用下斜めジッパ部との交点位置かつ該下梱包部材の高めの位置に開口された下切り開き開始部とが設けられ、前記上梱包部材には、前記上梱包部材の一側面の正面側寄りに下端から中程に向けて略垂直方向の切り開き用上垂直ジッパ部と、前記切り開き用上垂直ジッパ部の上端から前記上梱包材の上端正面側寄りに架けて斜め方向の切り開き用上斜めジッパ部と、前記切り開き用上垂直ジッパ部の途中位置かつ該上梱包部材の低めの位置に開口された上切り開き開始部とが設けられ、前記切り開き用上垂直ジッパ部は前記切り開き用下垂直ジッパ部よりも正面寄りに配置されているものとした。
【０００８】
また、前記下梱包部材には、その下端に前記機器底板の一部を露出させる目視用切り欠き部が設けられているものとした。
【０００９】
また、前記機器は、湯水を貯湯する貯湯タンクを備えた貯湯式給湯装置である。
【発明の効果】
【００１０】
本発明によれば、梱包材のハンドリング時に切り開き用のジッパ部で折れ曲がり難くなり、さらに、下梱包部材および上梱包部材の高さを抑えられるため、狭いスペースで容易に梱包でき、また、開梱時に被梱包機器を傷つけることなく容易に下梱包部材と上梱包部材を切り裂くことができ、開梱後の廃材の処理も容易となるものである。さらには、最も手の力が必要な切り開き開始作業を無理のない体勢で行うことができ、上梱包部材および下梱包部材の離脱作業が容易となる。
【００１１】
また、目視用切り欠き部が設けられているため、機器の落下があった場合に機器底板に歪みが生じているか否かが目視で確認できると共に、切り開き用のジッパ部が斜め方向に設けられていることによって、当該ジッパ部での折り曲げ耐性が向上するため、目視用切り欠き部を大きく開口することができ、目視確認範囲を拡大できるものである。
【００１２】
当該梱包材は、湯水を貯湯する貯湯タンクを備えた貯湯式給湯装置を梱包する梱包材において特に有効である。
【図面の簡単な説明】
【００１３】
【図１】本発明の一実施形態の梱包の構成図
【図２】上梱包部材および下梱包部材の展開図
【図３】梱包作業を説明する斜視図
【図４】梱包状態の貯湯式給湯装置を側面後側から見た状態を示す斜視図
【発明を実施するための形態】
【００１４】
次に、本発明の一実施形態の貯湯式給湯装置の梱包材を図面に基づいて説明する。
図１において、１は機器底板２に備えられた支持脚３によって支持される機器としての貯湯式給湯装置で、湯水を貯湯する容量３００リットル〜５６０リットル程度の貯湯タンクを四角柱状の外装体に内蔵し、外装体の正面側に外部給湯配管や外部給水配管等が接続される配管接続部４が設けられており、その全高は１７００ｍｍ〜２２００ｍ程度、全幅は６００ｍｍ〜８００ｍｍ程度のものである。
【００１５】
５は貯湯式給湯装置１の下部に支持脚３とボルトナット等で締結固定された木製の梱包架台、６はダンボールをアングル状に折り返して形成され貯湯式給湯装置１の四隅をガードするアングル型補強部材、７は貯湯式給湯装置１の側面下半分の全周を覆うダンボール製の下梱包部材、８は貯湯式給湯装置１の側面上半分の全周および天面の一部を覆う上梱包部材である。
【００１６】
下梱包部材７は、図２（ａ）の展開図に示すように、貯湯式給湯装置１の側面のうち２面分よりアングル型補強部材６の厚さ分だけ幅広い大きさのダンボールシート７１から構成され、このダンボールシート７１を幅方向に直角に折り曲げて２枚組み合わせることで下梱包部材７が形成されるものである。
【００１７】
そして、７２は機器底板２の一部を露出させるための目視用切り欠き部、７３は下梱包部材７を形成するダンボールシート７１同士を接合するための下接合代部、７４は貯湯式給湯装置１の側面に対応する部位の下梱包部材７の正面寄り上端から中程に向けて略垂直方向の切り開き用下垂直ジッパ部、７５は切り開き用下垂直ジッパ部７４の下端から下梱包部材７の正面側寄りの下端に架けて斜め方向の切り開き用下斜めジッパ部、７６は切り開き用下垂直ジッパ部７４と切り開き用下斜めジッパ部７５の交点位置に開口された下切り開き開始部である。
【００１８】
７７は下梱包部材７の上端の四隅に相当する位置を切り欠いて設けられた下角切り欠き部で、組み付け時に貯湯式給湯装置１の四隅に装着されるアングル型補強部材６を露出させるものである。
【００１９】
そして、一のダンボールシート７１の左辺にある下接合代部７３を他のダンボールシート７１の右辺の辺縁部の内面に当てた状態で、多数のステープルによって接合し、また他のダンボールシート７１の左辺にある下接合代部７３を一のダンボールシート７１の右辺の辺縁部の内面に当てた状態で多数のステープルによって接合し、角筒状の下梱包部材７が形成される。
【００２０】
上梱包部材８は、図２（ｂ）の展開図に示すように、貯湯式給湯装置１の側面のうち２面分よりアングル型補強部材６の厚さ分だけ幅広い大きさのダンボールシート８１から構成され、このダンボールシート８１を幅方向に直角に折り曲げて２枚組み合わせることで上梱包部材８が形成されるものである。
【００２１】
そして、８２は上梱包部材８を形成するダンボールシート同士を接合するための上接合代部、８３は貯湯式給湯装置１の側面に対応する部位の上梱包部材８の正面寄り下端から中程に向けて略垂直方向の切り開き用上垂直ジッパ部、８４は切り開き用上垂直ジッパ部８３の上端から上梱包部材８の正面側寄りの上端に架けて斜め方向の切り開き用上斜めジッパ部、８５は切り開き用上垂直ジッパ部８２途中位置に開口された上切り開き開始部である。
【００２２】
８６は上梱包部材７の下端の四隅に相当する位置を切り欠いて設けられた上角切り欠き部で、組み付け時に貯湯式給湯装置１の四隅に装着されるアングル型補強部材６を露出させるものである。
【００２３】
９は上梱包部材８を構成するダンボールシート８１それぞれの上端に設けられ、貯湯式給湯装置１の天面の一部を覆う天面フラップで、天面の側部側を覆う側部天面フラップ９１と、天面の前部側または後部側を覆う前後部天面フラップ９２とが直角の山折り目部９３を介して一体に構成され、山折り目部９３下端から前後部天面フラップ９２側斜め４５度上方に架けて谷折り目部９４が形成されている。
【００２４】
そして、一のダンボールシート８１の左辺にある上接合代部８２を他のダンボールシート８１の右辺の辺縁部の内面に当てた状態で、多数のステープルによって接合し、また他のダンボールシート８１の左辺にある上接合代部８２を一のダンボールシート８１の右辺の辺縁部の内面に当てた状態で多数のステープルによって接合し、角筒状の上梱包部材８が形成される。
【００２５】
ここで、切り開き用下垂直ジッパ部７４、切り開き用下斜めジッパ部７５、切り開き用上垂直ジッパ部８３、切り開き用上斜めジッパ部８４は、図２（Ｃ）に示すように、多数の切り込み１０を一定間隔毎に設けた切り込み線１１を２本平行に設けて構成されており、切り込み線１１で囲まれた領域のダンボールを手で切り離すことを可能としているものである。
【００２６】
そして梱包作業時は、図３（ａ）に示すように、貯湯式給湯装置１に下梱包部材７の目視用切り欠き部７１を下にすると共に、切り開き用下垂直ジッパ部７４および切り開き用下斜めジッパ部７５がない面を前後面となるようにして下梱包部材７を梱包架台５に当たる最下部まで被せ入れる。
【００２７】
次に、下梱包部材７の角部と貯湯式給湯装置１の四隅との間の隙間に挿入するようにしてアングル型補強部材６を装着し、その上から上梱包部材８を天面フラップ９が上、かつ切り開き用上垂直ジッパ部８３および切り開き用上斜めジッパ部８４がない面を前後面となる状態で下梱包部材７の上端に当たるまで被せ入れる。
【００２８】
そして、梱包作業者が下梱包部材７と上梱包部材８との突き合わせ部に粘着テープ１２を全周にわたって貼り付け、下梱包部材７と上梱包部材８とを固定する。
【００２９】
このとき、下梱包部材７と上梱包部材８との突き合わせ部高さの四隅には、下角切り欠き部７７と上角切り欠き部８６とによって形成される穴によって四隅のアングル型補強部材６が露出しており、貯湯式給湯装置１の四隅にアングル型補強部材６が位置していることが容易に確認でき、組み付け忘れを防止できると共に、粘着テープ１２の貼り付けによって工数を増やすことなくアングル型補強部材６を下梱包部材７および上梱包部材８に確実に固定することができる。
【００３０】
そのため、下梱包部材７および上梱包部材８の内寸がばらつき等によって大きくなっていたとしてもアングル型補強部材６の移動が防止され、貯湯式給湯装置１の四隅を確実に保護することができ、梱包後の貯湯式給湯装置１の横倒し時や運送荷台からのズリ降ろし時等にも貯湯式給湯装置１の損傷を確実に防止できる。
【００３１】
次に、梱包作業者が貯湯式給湯装置１の両側面側の側部天面フラップ９１を機器天面側に折り曲げると、前後部天面フラップ９２の谷折り目部９４が内側に折り込まれ、谷折り目部９４と山折り目部９３との間の領域の前後部天面フラップ９２の裏面が側部天面フラップ９１の裏面に密着し、谷折り目部９４と山折り目部９３との間の領域の前後部天面フラップ９２の表面が残る前後部天面フラップ９２の表面に密着するようにして側部天面フラップ９１の下面に前後部天面フラップ９２が畳まれる。
【００３２】
このようにして、梱包作業者は側部天面フラップ９１を折り畳む動作のみで前後部天面フラップ９２が側部天面フラップ９１の下方に折り込まれ、最上面にフラットな側部天面フラップ９１が位置するため、前後方向に段差のない状態を形成できる。
【００３３】
最後に、梱包作業者が固定バンド１３で上梱包部材８の天面と梱包架台５とを締め付け固定して梱包が完了する。
【００３４】
なお、天面フラップ９の折り畳み作業を梱包作業者の手作業で行うよう説明したが、固定バンド１３を締め付ける工程において、梱包作業者が谷折り目部９４が内側に折り込まれるように補助するのみで、固定バンド１３の締め付けによって最後まで折り畳むようにしてもよい。
【００３５】
このように、下梱包部材７と上梱包部材８の２つの梱包部材によって機器側面周囲の下部および上部、さらに天面を覆うことができるため、梱包部材の原盤となるダンボールシートを比較的小板のものを使うことができ、製造設備も小型化でき、コストを抑制することができると共に、側部天面フラップ９１を折り畳む動作のみで前後部天面フラップ９２が側部天面フラップ９１の下方に折り込まれるので、梱包作業の工数も削減できる。
【００３６】
さらには、梱包状態の天面はフラットな側部天面フラップ９１が位置するため、梱包状態の貯湯式給湯装置１を立て積みする際にも上側の貯湯式給湯装置１の梱包架台５の底面が梱包に引っかかることなくスムースに積み上げおよび積み降ろしすることが可能となる。
【００３７】
そして、開梱時は、固定バンド１３と粘着テープ１２を離脱させた後、上梱包部材８の側面の上切り開き開始部８５から切り開き用上垂直ジッパ部８３の切り込み線１１で囲まれた領域のダンボールを作業者が手で切り取り、続いて切り開き用上斜めジッパ部８４の切り込み線１１で囲まれた領域のダンボールも切り取り、角筒状の上梱包部材８を周方向に切り離して上梱包部材８を貯湯式給湯装置１から容易に離脱可能としている。
【００３８】
このとき、切り開き用上垂直ジッパ部８３は機器正面側に寄せられて設けられていると共に、上切り開き開始部８５が上梱包部材８の低めの位置に開口されているため、最も手の力が必要な切り開き開始作業を無理のない体勢で行うことができ、上梱包部材８の離脱作業が容易となる。
【００３９】
次に、下梱包部材７の側面の下切り開き開始部７６から切り開き用下垂直ジッパ部７４の切り込み線１１で囲まれた領域のダンボールを作業者が手で切り取り、続いて切り開き用下斜めジッパ部７５の切り込み線１１で囲まれた領域のダンボールも切り取り、角筒状の下梱包部材７を周方向に切り離して下梱包部材７を貯湯式給湯装置１から容易に離脱可能としている。
【００４０】
このとき、切り開き用下垂直ジッパ部７４は機器正面側に寄せられて設けられていると共に、下切り開き開始部７６が下梱包部材７の高めの位置に開口されているため、最も手の力が必要な切り開き開始作業を無理のない体勢で行うことができ、下梱包部材７の離脱作業が容易となる。
【００４１】
このように、梱包材のハンドリング時に切り開き用のジッパ部７４、７５、８３、８４で折れ曲がり難くなり、さらに、下梱包部材７および上梱包部材８の高さを抑えられるため、狭いスペースで容易に梱包でき、また、開梱時に被梱包機器を傷つけることなく容易に下梱包部材７と上梱包部材８を切り裂くことができ、開梱後の廃材の処理も容易となるものである。
【００４２】
また、下梱包部材７の下端には、目視用切り欠き部７２が設けられているため、機器の落下があった場合に機器底板に歪みが生じているか否かが目視で確認でき、梱包引き渡し時などに落下痕のある個体を識別できると共に、切り開き用下斜めジッパ部７５が斜め方向に設けられていることによって、当該ジッパ部での折り曲げ耐性が向上するため、目視用切り欠き部７２を大きく開口することができ、目視確認範囲を拡大でき、落下痕のある個体の識別をより容易にすることができるものである。
【００４３】
そして、貯湯式給湯装置１から梱包架台５を離脱して設置場所の据え付け面に据え付けて支持脚３をアンカーボルトで固定して貯湯式給湯装置１が設置されるものである。
【００４４】
なお、本発明は上記一実施形態に限定されるものではなく、発明の要旨を変更しない範囲で改変可能なものであり、例えば、切り開き用下垂直ジッパ部７４、切り開き用下斜めジッパ部７５、切り開き用上垂直ジッパ部８３、切り開き用上斜めジッパ部８４は、１本の切り込み線１１で構成してもよいもので、１本の切り込み線１１で構成した場合は、該切り込み線１１を開梱作業者が手で切り開くことによって下梱包部材７および上梱包部材８を周方向に切り離すことができるものである。
【００４５】
また、下梱包部材７および上梱包部材８は１枚のダンボールシートの両端を接合することで構成するようにしてもよいものであり、さらに、切り開き用下垂直ジッパ部７４、切り開き用下斜めジッパ部７５、切り開き用上垂直ジッパ部８３、切り開き用上斜めジッパ部８４は機器側面の一面にだけ設けるようにしてもよい。
【００４６】
また、下切り開き開始部７６および上切り開き開始部８５は、完全に開口した状態でなくともよく、容易に切り開き開始用の開口が形成できるように切り込み線を設けた構成としてもよいものである。
【符号の説明】
【００４７】
１  貯湯式給湯装置（機器）
２  機器底板
３  支持脚
７  下梱包部材
７２  目視用切り欠き部
７４  切り開き用下垂直ジッパ部
７５  切り開き用下斜めジッパ部
８  上梱包部材
８３  切り開き用上垂直ジッパ部
８４  切り開き用上斜めジッパ部
【図１】
0005873738.tif 000002
【図２】
0005873738.tif 000003
【図３】
0005873738.tif 000004
【図４】
0005873738.tif 000005